(57)【要約】  ケースと、収集したデータの保護および信頼性を確認するために、前記ケースの不正使用を検出する手段とを含む、データの検索および照合のための装置（１）であって、前記不正使用を検出する手段は、前記ケース（２）の内側に収容したバッテリ（２１）によって電気回路を通して電力が供給される、情報の要素の記憶および／または生成をする手段（２２）と、前記ケース（２）の開放によって動作して、前記情報の要素の記憶および／または生成をする手段への電力供給を中断する手段（２６）とを有するので、装置（１）の電源がオフされたときであっても前記手段の信頼性を保証する。
2010525473.tif 000002
【特許請求の範囲】
【請求項１】
データの検索および照合のための装置であって、
ケースと、
収集したデータの保護および信頼性を確認するために、前記ケースの不正使用を検出する手段とを含むものにおいて、
前記不正使用を検出する手段は、
前記ケース（２）の内側に収容したバッテリ（２１）によって電気回路を通して電力が供給される、情報の要素の記憶および／または生成をする手段（２２）と、
前記ケース（２）の開放によって動作して、前記情報の要素の記憶および／または生成をする手段への電力供給を中断する手段（２６）とを有することを特徴とする装置。
【請求項２】
前記ケース（２）は、半殻（２４，２５）の対によって形成され、前記半殻（２４，２５）の開放は、スイッチ（２６）の開放をもたらす、請求項１に記載の装置（１）。
【請求項３】
前記情報の要素の記憶および／または生成をする手段は、ディジタル時計を含む、請求項１または２に記載の装置（１）。
【請求項４】
前記ディジタル時計は、発振器（２７）を備えるチップ（２２）によって実現されている、請求項３に記載の装置（１）。
【請求項５】
前記情報の要素の記憶および／または生成をする手段は、ＲＡＭメモリを含む、請求項１から４のいずれかに記載の装置（１）。
【請求項６】
オペレータを識別する手段を含む、請求項５に記載の装置（１）。
【請求項７】
前記オペレータを識別する手段は、マイクロチップ読み取りセンサを含む、請求項６に記載の装置（１）。
【請求項８】
前記情報の要素の記憶および／または生成をする手段は、前記装置（１）がオフされたときに、主回路によって電力が供給される、請求項６に記載の装置（１）。
【請求項９】
前記情報の要素の記憶および／または生成をする手段への電力供給を中断する手段（２６）は、前記情報の要素の記憶および／または生成をする手段の電力供給端子をバイパスする手段を含む、請求項１から８のいずれかに記載の装置（１）。
【請求項１０】
前記バイパスする手段は、前記半殻（２４，２５）の開放、つまり、それらに連動するスイッチ（２６）の開放によって動作する、請求項２および９に記載の装置（１）。
【請求項１１】
前記バイパスする手段の動作は、前記情報の要素の記憶および／または生成をする手段に電力供給するバッテリ（２１）によって駆動される、請求項９または１０に記載の装置（１）。
【請求項１２】
前記情報の要素の記憶および／または生成をする手段は、トランジスタ（３７）を含む横断回路区間（３６）によって接続された端子（３１，３２）の対によって電力供給され、
前記トランジスタは、前記情報の要素の記憶および／または生成をする手段への電力供給が中断されたときに、前記情報の要素の記憶および／または生成をする手段に電力供給する前記バッテリ（２１）の電圧によって、前記横断回路区間を閉じる、請求項１１に記載の装置（１）。
【請求項１３】
前記バッテリ（２１）は、前記スイッチ（２６）、および、前記スイッチ（２６）が開いたときに閉鎖するさらなるトランジスタ（３３）を含む閉じた回路に含まれ、
前記さらなるトランジスタ（３３）は、前記バッテリ（２１）の電圧によって、前記閉じた回路に電流を生じさせ、その電流が前記横断回路区間（３６）の前記トランジスタ（３７）を閉じさせる、請求項１２に記載の装置（１）。
【請求項１４】
前記トランジスタ（３７）は、ゲートが前記閉じた回路に接続されたＮ型ＭＯＳＦＥＴである、請求項１３に記載の装置（１）。
【請求項１５】
前記さらなるトランジスタ（３３）は、前記情報の要素の記憶および／または生成をする手段に電力供給する前記端子（３１，３２）に接続するさらなる横断回路区間（３４）にゲートが配設されたＰ型ＭＯＳＦＥＴである、請求項１３に記載の装置（１）。
【請求項１６】
前記主回路の端子（２９，３０）は、ケース（２）の開放時に開いて不正使用信号を生成する電流を中断させるトランジスタ（４０）を含む横断回路区間（３９）によって接続されている、請求項８に記載の装置（１）。
【請求項１７】
前記トランジスタ（４０）は、ゲートが前記バッテリ（２１）を含む前記情報の要素の記憶および／または生成をする手段に電力供給する回路に接続されてチャネル形成状態に保持されるＮ型ＭＯＳＦＥＴである、請求項１６に記載の装置（１）。
【発明の詳細な説明】
【技術分野】
【０００１】
本発明は、収集したデータの保護および信頼性を確認するために、ケース、および、そのケースの不正使用を検出する手段を含む不正使用防止システムと一体化した、データ検索および照合のための装置に関する。
【背景技術】
【０００２】
データの照合および識別の多様な機能を実行する装置が知られている。データは、信頼性および信憑性についての責任を負うオペレータの識別に関連付けるディジタル署名により暗号化される対象となり得る。
【０００３】
この種の装置は、それ故、警官のパトロールおよび捜査の補助に使用され得る。
【０００４】
しかしながら、その操作性を犠牲にすることなく、とにかく装置が不正使用されないことを保証することが非常に重要である。このため、不正使用防止が統合されたシステムの問題は、データの収集および照合の複雑化を防止し、且つ、この種の装置の不適切な使用を防止することである。
【発明の概要】
【発明が解決しようとする課題】
【０００５】
本発明の課題は、信頼できる不正使用防止機能を備える一体化した装置を提供することである。
【課題を解決するための手段】
【０００６】
そのような課題は、上述の装置において、前記不正使用を検出する手段は、
前記ケースの中に収容されたバッテリから電気回路を通して電力供給される、情報の要素の記憶および／または生成をする手段と、
前記ケースの開放によって動作して前記手段への電力供給を中断する手段とを含む装置によって解決される。
【発明の効果】
【０００７】
上述の装置の主な利点は、それ自身のケースの内側に保存した情報の要素の照合を行うためのケースの開放の即時の検出を達成することである。
【図面の簡単な説明】
【０００８】
【図１】本発明に係る不正使用防止システムと一体化したデータ検索および照合のための装置のその機能を示す斜視図である。
【図２】図１の装置の付属品と共に示す全体斜視図である。
【図３】図１の装置の不正使用の場合に動作する電気回路を示す図である。
【図４】図１の装置の分解斜視図である。
【発明を実施するための形態】
【０００９】
本発明は、本発明は、これより、例示的で非限定的な目的で提供される、その１つの実施形態について、添付の図を参照しながら開示される。
【００１０】
図面を参照すると、識別データを検索、照合および転送できる装置は、全体が１で示されている。
【００１１】
それは、耐衝撃材料からなり、完全に密閉された、気象要素からも内部を保護できる堅い本体２を含む。本体２の表面は、触感が柔らかく、滑り止めになっている。それは、衝撃および踏み潰しにも耐え得る。特に、本体２は、ＩＰ５４規格、つまり、埃および散水のある中で操作でき、尖ったものが貫通しないものに合致し得る。
【００１２】
その全体の外観に一致して、装置１は、手で持って操作できる装置であり、望ましくは、片手で握られ、その前面にグラフィックインターフェイスを備える。
【００１３】
そのような表面に、装置１は、接触感応式（タッチスクリーン）の、それによって入出力装置として動作するスクリーン３を含む。さらにこの表面には、表示オン・オフボタン４が、カーソルキーパッド、中央のエンターキーおよび他の２つのファンクションキーを有するカーソルを移動させるのに好ましい種類のキーボード５とともに存在する。
【００１４】
装置１は、装置１の本体２の上のマイク入力口６として示された、音声を検出および録音する手段、並びに、スピーカも含む。マイクおよびスピーカは電話機として使用するのに適する。
【００１５】
スクリーン３は、画像出力を可能にするが、画像メニューの好ましい機能アイコンを通して画像入力をすることも可能にする。当然に、従来の数値キーパッドまたは英字キーボードも表示できる。
【００１６】
そのような接触感応スクリーン３、キーボード５およびマイク６は、全体として装置１の入出力手段をなす。
【００１７】
さらに、７で全体が示された、装置１の異なる動作機能を表示する機能表示灯が存在する。
【００１８】
側面には、例えばＵＳＢ形式の、オーディオ接続８、電源供給９、および、ＰＣ接続１０のための差し込みが存在する。しかしながら、それは、ディジタル形式でデータを転送するのに好ましい、いかなるデータ転送の差し込みも設けられ得ることを意図する。オーディオ接続差し込み８は、好ましくは上述の電話機のイヤフォンに接続できる。
【００１９】
装置１は、さらなる差し込みを有し、所望のドッキングステーション（図２）を通して操作することもできる。
【００２０】
装置１は、底面にカードＣを挿入するためのスリット１１を有し、装置の内部には、マイクロチップを読み取るセンサが設けられている。
【００２１】
そのようなセンサは、個別の身分証明データを含んだマイクロチップが設けられた文書を照合する機能を果たすことができる。このセンサは、とにかく、証拠等の検索のために装置を使用するオペレータを識別する手段として機能する。
【００２２】
装置１は、反対側の面に、ディジタル形式の、写真撮影およびビデオ撮影ができる、画像を取得する手段１２を有する。
【００２３】
装置１は、さらに、シリコン型の走査面１６を含む指紋読み取り手段を有する。後者は、例えばオペレータの指紋を識別することにより、証拠等の検索ために装置を使用するオペレータを識別する手段としても機能し得ることが明らかである。
【００２４】
特に、装置１の操作は、オペレータの識別データ、例えば指紋が記録されているチップカードの挿入の後、且つ、例えば走査面１６を通した、そのようなデータの確認の後にのみ許可される。このような方法では、装置は、一人のオペレータとだけ関係付けられておらず、オペレータは装置を使用する前に彼自身の身元を証明しなければならない。同時の事前準備が、収集されたデータの検証にも適用されてもよい。
【００２５】
そして、適切に保護されたＧＰＳアンテナ１８を含む人工衛星方式の測位手段が設けられている。
【００２６】
本実施形態に係る装置は、移動体通信手段を含み、この目的のために、装置１は、例えばＧＳＭ、ＵＭＴＳ等の可能な規格のいずれかに従う携帯電話として機能する状態に装置を置くために、内部にＳＩＭカードを受け入れる一対のスロット１９を含む。そのような通信手段を通じて、装置をネットワークに接続できることが企図されている。
【００２７】
装置１の内部は、ＧＳＭアンテナのような移動体通信用のアンテナ２０、バッテリ２１、並びに、暗号化カード２２、メモリカード２３およびプロセッサ２４を収容する。携帯可能なメモリカード２５は、収集したデータの持ち運びのためにも設けられ得る。
【００２８】
暗号化カードは、マイクロプロセッサとともに慎重に取り扱うべき識別データの、それらを完全に安全な方法で無線転送するための暗号化手段を構成する。事実として、情報暗号化の原理として使用されるコードは、前記カード、すなわち、そのメモリエレメントに収容されており、前記情報の要素を、同じ暗号化コードを含む装置によって読み取ることができる、さらなる改変が防止された暗号化ファイルとして転送するためにマイクロプロセッサ２４に利用される。
【００２９】
特に、暗号化カード２２の役割は、ディジタル署名をファイルに割り付けるものであり、有利には非対称二重暗号化キー方式のものである。
【００３０】
それらの可能性の中で、装置は、Ｗｉ−ＨｉおよびＢｌｕｅｔｏｏｔｈ規格に準処したさらなる無線通信システムを列挙する。
【００３１】
装置１は、さらに、本実施形態においては、収集したデータに時間を割り当てるのに適したディジタル時計を含み、バッテリから電力供給される、情報の要素の記憶および／または生成をする手段を含む。
【００３２】
最後に、上述の如く密閉した本体の中に封入された装置は、収集したデータの安全を確保するために、前記本体の不正使用を検出する手段を有する。
【００３３】
そのような手段は、半殻、前側２４および後側２５の対によって形成されたケース２の開放といえる。
【００３４】
装置の内側に入るには、前記半殻を分離する必要がある。その分離は、バッテリ２１をチップ２２によって実現された前記ディジタル時計に接続する回路２０のスイッチ２６（図３）の開放を引き起こす。
【００３５】
不正使用を検出する手段は、前記ケース２の開放によって、つまり、前記半角２４および２５の分離によって動作し、情報の要素の記憶および／または生成をする手段への電力供給を中断する手段を提供する。
【００３６】
詳しくは、情報の要素の記憶および／または生成をする手段は、発振器２７がそれおよびＲＡＭメモリに接続されているために時計として機能する前記チップを含む。
【００３７】
生成された情報の要素は、現在の時間または装置の第２の時計により生成された時間と比較できる時間である。代わりに、ＲＡＭメモリは、電力供給されているときだけ、情報の要素、例えばキーコードを記憶し、電力供給されていなければ、その情報の要素は失われる。
【００３８】
そのような情報の要素は、それ故、例えばユーザを識別する非対称キーを有するマイクロチップカードを通して、或いは、何か他の識別システムを通して、装置１に入力されたデータと比較できる。
【００３９】
本実施形態において、情報の要素の記憶と生成との両方が使用され、その制御は、実質的に不正使用防止証明を構成する。
【００４０】
チップ２２は、ゲート２８を通して初期化され、時間参照情報およびディジタルキーをＲＡＭメモリ内に割り当てる。発振器２７およびＲＡＭメモリの両方は、電力供給されていれば動作する。そのような電力は、図３において、２つの端子２９，３０を確認できる主回路を通して供給される。
【００４１】
主回路は、装置１がオフになっているときだけ電力供給する。代わりに、それがオフされたとき、バッテリ２１は、２つの分岐回路３１，３２を通して、それらの１つに形成されている前記スイッチ２６に電力を供給する。非常に低い電力を消費について、バッテリは、非常に長い期間、数年も、チップ２２を活動状態に維持するであろう。
【００４２】
そのようなスイッチ２６は、上述のチップ２２の電力供給を中断する手段、つまり、情報の要素の記憶および／または生成をする手段の一部である。スイッチ２６の他、そのような手段は、チップ２２の供給端子をバイパスする手段をさらに含む。バイパス（ショートカット）の目的は、発振器２７およびＲＡＭメモリへの電力供給の即時の中断を得ることである。
【００４３】
実際に、一つのスイッチ２６によっては、スイッチ２６が開放されても、回路内に存在する電気容量が数分間チップに電力を供給するために、中断は即時ではないであろう。しかしながら、この状況で、素速いものでも不正使用を不可能にするために、たとえそれが半殻２４，２５の開放からミリ秒後であっても、電力供給の瞬間的な中断の絶対的な確実性が保証されなければならない。
【００４４】
好ましくは、チップ２２の電力供給端子をバイパスする手段も、半殻２４，２５の開放により、つまり、スイッチ２６が開放したとき、作動してもよい。
【００４５】
そのような駆動は、以下で説明するように、それ自身がバッテリ２１により駆動されているために、受動的である。
【００４６】
バッテリ２１は、前記スイッチ２６、第１高値抵抗３２および都合よくはＰ型ＭＯＳＦＥＴであるトランジスタ３３を含み、前記分岐回路３１，３２の対またはチップ２２の電力供給端子と結合した第１横断回路区間３４に接続された閉じた回路の中に含まれる。そのような区間３４は、さらに、第２高値抵抗３５を含む
【００４７】
スイッチ２６が閉じたとき、第１のＰ型ＭＯＳＦＥＴは３３のゲートおよびソースは、同じ電位になるが、スイッチが開いたとき、ゲートは、低い電位になり、ＭＯＳＦＥＴ３３は、チャネル形成される。
【００４８】
前記分岐回路３１，３２の対は、また、スイッチ２６が開いたときにバッテリ２１の電圧によって閉じる都合よくはＮ型ＭＯＳＦＥＴである第２トランジスタ３７を含む第２横断回路区間３６に接続されている。実際に、第１ＭＯＳＦＥＴ３３のチャネル形成は、前記バッテリ２１の閉じた回路を流れ、第１抵抗３２によって制限された非常に低い電流を生じる。この回路の接点３８は、導通する第２ＭＯＳＦＥＴのゲートに接続されており、前記第２横断区間３６を通してチップ２２をバイパスする。この時点で、チップは、リセットされる。
【００４９】
このセキュリティシステムは、装置が電源オフであり、チップに前記端子２９，３０を介して電力が供給されていても、半殻２４，２５の開放からの信号を提供しなければならない。この目的で、後者は、同様に、典型的にはＮ型ＭＯＳＦＥＴであるトランジスタ４０を含む第３横断回路区分３９に接続されている。前記トランジスタは、ゲートがバッテリ２１を含む電力供給回路に接続され、それによってチャネル形成され、第３区分３９に電流が流れることを可能にする。そのような電流は、第３区分３９に接続されたピン４１を介して検出される。
【００５０】
半殻２４，２５の開放の場合、スイッチ２６の開放は、前記第３区分３９を閉じている第３Ｎ型ＭＯＳＦＥＴのチャネル形成をしている電流を中断させる。このような方法で、前記ピン４１は、状態０から状態１に変化し、半殻２４，２５の開放が発生したことを検出可能にする。
【００５１】
上述したものに係る装置の使用は、特に、治安維持、税関検査、法的証拠の収集などにあたる警官に有用であることが意図される。
【００５２】
しかしながら、そのような装置は、民間、行政または個人の事情でも例えば、フロントで許可されたホテルの設備の受付、民間産業上の検索設備への排他的入場の照合等に使用できる。
【００５３】
不正使用防止システムと一体化された、上述のデータを検索し照合する装置について、当業者は、さらなる付随の要求を達成するために、追加の様々な改良および変形をすることができるが、それらはすべて添付の特許請求の範囲に明示した本発明の範囲に含まれる。
【図１】
2010525473.tif 000003
【図２】
2010525473.tif 000004
【図３】
2010525473.tif 000005
【図４】
2010525473.tif 000006
【国際調査報告】
2010525473.tif 000007
2010525473.tif 000008